(57)【要約】【課題】本発明は、汚れの状況及び洗浄の程度を洗浄作業者が目視して作業できるという手洗いの利点を残しつつ、より効率的で洗浄作業者への負担が少なく、かつ、一定以上の洗浄の仕上がり程度を確保することができる高レベルの洗浄を効率よく、半自動的に行うことのできる円筒状浄水フィルタの洗浄装置を提供することを目的とする。【解決手段】中空有底の円筒状の洗浄槽１０と、洗浄槽１０の底部に回転自在に設置した回転盤２０と、回転盤２０に複数立設したシャフト３０と、洗浄槽１０の胴部１０ａに設置した噴射ノズル４０とからなり、使用済みの円筒状浄水フィルタ７０をシャフト３０に挿通して立設し、回転盤２０を回転させながら、洗浄水Ｗを噴射ノズル４０から噴射して、使用済みの円筒状浄水フィルタ７０から汚れや不純物を除去して洗浄する円筒状浄水フィルタの洗浄装置を基本として提供する。【選択図】図１
2018153747.tif 000002
【特許請求の範囲】
【請求項１】
中空有底の円筒状の洗浄槽と、洗浄槽の底部に回転自在に設置した回転盤と、回転盤に複数立設したシャフトと、洗浄槽の胴部に設置した噴射ノズルとからなり、
使用済みの円筒状浄水フィルタをシャフトに挿通して立設し、回転盤を回転させながら、洗浄水を噴射ノズルから噴射して、使用済みの円筒状浄水フィルタから汚れや不純物を除去して洗浄することを特徴とする円筒状浄水フィルタの洗浄装置。
【請求項２】
複数の噴射ノズルを、洗浄槽の胴部に円弧状に配置した請求項１記載の円筒状浄水フィルタの洗浄装置。
【請求項３】
円弧状に配置した噴射ノズルによって、洗浄槽の胴部に噴射領域を形成した請求項２記載の円筒状浄水フィルタの洗浄装置。
【請求項４】
洗浄槽の胴部に、噴射ノズルを配置しない非噴射領域を形成した請求項１，２又は３記載の円筒状浄水フィルタの洗浄装置。
【請求項５】
噴射ノズルに洗浄水を供給する洗浄水の供給手段を具備する請求項１，２，３又は４記載の円筒状浄水フィルタの洗浄装置。
【請求項６】
回転盤を回転させる駆動手段を具備する請求項１，２，３，４又は５記載の円筒状浄水フィルタの洗浄装置。
【請求項７】
回転盤と洗浄槽の胴部内壁との間に一定の間隙を形成した請求項１，２，３，４，５又は６記載の円筒状浄水フィルタの洗浄装置。
【請求項８】
洗浄槽の底面に洗浄水の排水口を形成した請求項１，２，３，４，５，６又は７記載の円筒状浄水フィルタの洗浄装置。
【請求項９】
円筒状浄水フィルタが、中空円筒状の芯材の外周面に濾材を巻回してなる構成を有する請求項１，２，３，４，５，６，７又は８記載の円筒状浄水フィルタの洗浄装置。
【請求項１０】
噴射ノズルから噴射する洗浄水によって、シャフトに挿通した使用済みの円筒状浄水フィルタがシャフトの周囲を自転する請求項１，２，３，４，５，６，７，８又は９記載の円筒状浄水フィルタの洗浄装置。
【請求項１１】
請求項１〜１０のいずれかに記載の円筒状浄水フィルタの洗浄装置を架台上に一体として装備することにより、運搬装置に搭載可能とした円筒状浄水フィルタの洗浄装置。
【発明の詳細な説明】
【技術分野】
【０００１】
本発明は、プール，クアハウスや温浴施設等の水を浄化するために使用する円筒状浄水フィルタの浄水能力を再生して再使用するために、高レベルで効率よく、かつ、半自動的に浄水することができる円筒状浄水フィルタの洗浄装置に関する。
【背景技術】
【０００２】
近時は性別や年齢を問わず、水を利用したフィットネス，リラクゼーションへの関心が高く、全国各地にプール，クアハウスや温浴施設等の水を利用した各種の施設が展開されており、中でもプールは気軽に全身運動ができる施設として人気が高く、利用者も多い。
【０００３】
これらの水を利用した施設、例えばプールの水は使用によって、プール利用者の身体に付着した汚れや外部からの埃によって次第に汚れていくため、水質を一定以上に保持する衛生管理上の観点から、又無駄な使用水量を抑え、エネルギー消費を効率的に行う運営上の観点からも、浄水フィルタを利用してプールの水を濾過して循環再使用する浄化装置が使用されている。
【０００４】
水を浄化するための浄水フィルタとしては、材質，形状，浄水機構や使用方法を異にする種々のものが提供されており、その中の１つとして図１０，図１１に示す円筒状浄水フィルタ７０が使用されている。図１０は円筒状浄水フィルタ７０の部分断面正面図、図１１はその平面図である。円筒状浄水フィルタ７０は、合成樹脂等の中空筒状の保形性を有する芯材７１（コア）の外周面に、特殊紡糸法を用いたポリプロピレン糸を規則正しく正確なダイヤモンド形状に保ちながら渦巻状に表面に至るまで巻回した密度勾配を有する濾材７２から構成されている。そして、芯材７１は上下方向に貫通した中空部７１ａを有するとともに、濾材７２からの水の通過を可能とする通水孔７１ｂが所定箇所に切欠形成されている。
【０００５】
この円筒状浄水フィルタ７０の所定本数を濾過槽内に収納し、浄化すべきプール水を、毛髪，木の葉，水着の繊維等の大きな不純物を除去するためのヘアーキャッチャーを介して濾過槽に供給し、濾過槽内の円筒状浄水フィルタ７０の表面から芯材７１に向けて通過させることによって浄化し、再びプールに循環させて使用している。円筒状浄水フィルタ７０は、濾材７２の表面又は表面に近い領域において、ヘアーキャッチャーを通過した粗い不純物を除去し、濾材７２の深層の領域において微細な不純物を除去している。この円筒状浄水フィルタ７０によれば、粒径５０μｍ程度の不純物を濾過することができ、プール水を再使用可能なレベルまで浄化することができる。なお、円筒状浄水フィルタ７０及び円筒状浄水フィルタ７０を使用したプール水の浄水手段は従来より公知である。
【０００６】
円筒状浄水フィルタ７０は使用に連れて、濾材７２に不純物を吸着・濾過することによって劣化し、目詰まり状態となり、浄化能力が低下する。そのため、使用期間や使用頻度，目詰まりの程度等に応じて、使用済みの円筒状浄水フィルタ７０を洗浄することによって目詰まりを除去し、浄水フィルタとしての機能を回復させて再使用を可能とし、この使用→洗浄→再使用を一定回数だけ繰り返した後に廃棄し、新規な円筒状浄水フィルタ７０に交換している。現状では、円筒状浄水フィルタ７０を４ケ月程度使用した後に洗浄し、これを５回ほど繰り返して新規なものに交換している。
【０００７】
前記した円筒状浄水フィルタ７０以外にも水の浄化装置や浄水フィルタとして種々のタイプの製品が豊富に提供されており、浄水フィルタの洗浄装置としても薬液を使用して洗浄したり（特許文献１）、劣化した浄水フィルタを逆洗することによって洗浄する手段（特許文献２）も提供されている。
【先行技術文献】
【特許文献】
【０００８】
【特許文献１】特開２００３−１７００１４号公報
【特許文献２】特開平１０−１３１５２９号公報
【発明の概要】
【発明が解決しようとする課題】
【０００９】
従来、使用済みの円筒状浄水フィルタ７０の洗浄は、１本毎の手洗いが基本であり、具体的にはポンプその他の圧送手段を使用してプール水その他の水を圧力水として、使用済みの円筒状浄水フィルタ７０に吹き付けることによって、１本毎に目視をしながら手洗いをすることによって吸着した不純物を除去しているのが現状である。
【００１０】
しかしながら、手洗いは、円筒状浄水フィルタ７０を１本毎に汚れの状況及び洗浄の程度を洗浄作業者が目視して作業できる利点はあるものの、洗浄作業者の負担が大きく、又洗浄効率が悪い。加えて、洗浄する使用済みの円筒状浄水フィルタ７０の数の増加に比例して、洗浄作業の精度が悪影響を受けると考えられる。また、特許文献１に示す薬液を使用した洗浄や、特許文献２に示す逆洗による洗浄は、円筒状浄水フィルタ７０に適用不可或いは不適であり、仮に適用しようとする場合にはそのための設備を洗浄施設内に新たに設置する必要がある。
【００１１】
円筒状浄水フィルタ７０は浄化するプールの水量に応じて多数本を濾過槽内に収納して使用するため、洗浄する使用済みの円筒状浄水フィルタ７０の本数もプールの規模に応じて増加することとなる。そのため、本発明は、汚れの状況及び洗浄の程度を洗浄作業者が目視して作業できるという手洗いの利点を残しつつ、より効率的で洗浄作業者への負担が少なく、かつ、一定以上の洗浄の仕上がり程度を確保することができる高レベルの洗浄を効率よく、半自動的に行うことのできる洗浄装置を提供することを目的とする。
【課題を解決するための手段】
【００１２】
本発明は、上記課題を解決するために、中空有底の円筒状の洗浄槽と、洗浄槽の底部に回転自在に設置した回転盤と、回転盤に複数立設したシャフトと、洗浄槽の胴部に設置した噴射ノズルとからなり、使用済みの円筒状浄水フィルタをシャフトに挿通して立設し、回転盤を回転させながら、洗浄水を噴射ノズルから噴射して、使用済みの円筒状浄水フィルタから汚れや不純物を除去して洗浄する円筒状浄水フィルタの洗浄装置を基本として提供する。
【００１３】
そして、複数の噴射ノズルを、洗浄槽の胴部に円弧状に配置した構成、円弧状に配置した噴射ノズルによって、洗浄槽の胴部に噴射領域を形成した構成、洗浄槽の胴部に、噴射ノズルを配置しない非噴射領域を形成した構成、噴射ノズルに洗浄水を供給する洗浄水の供給手段を具備する構成、及び回転盤を回転させる駆動手段を具備する構成を提供する。
【００１４】
また、回転盤と洗浄槽の胴部内壁との間に一定の間隙を形成した構成、洗浄槽の底面に洗浄水の排水口を形成した構成、円筒状浄水フィルタが、中空円筒状の芯材の外周面に濾材を巻回してなる構成、噴射ノズルから噴射する洗浄水によって、シャフトに挿通した使用済みの円筒状浄水フィルタがシャフトの周囲を自転する構成、及び前記した構成の円筒状浄水フィルタの洗浄装置を架台上に一体として装備することにより、運搬装置に搭載可能とした構成を提供する。
【発明の効果】
【００１５】
以上記載した本発明によれば、洗浄する必要がある使用済みの円筒状浄水フィルタを、洗浄装置における中空有底の円筒状の洗浄槽の底部に回転自在に設置した回転盤に複数立設したシャフトに挿通することによって立設した後、回転盤を回転駆動しながら、洗浄槽の胴部に設置した噴射ノズルから洗浄水を所定の圧力で円筒状浄水フィルタに向けて噴射することにより、円筒状浄水フィルタの濾材に吸着・濾過した不純物を洗い落として除去することができ、再使用可能に洗浄することができる。
【００１６】
このとき、円筒状浄水フィルタはシャフトに立設しているため、洗浄作業員は手持ちする必要がなく、洗浄水も噴射ノズルから噴射するため、洗浄作業員は非噴射領域に位置して、洗浄する円筒状浄水フィルタをシャフトに挿通するとともに、洗浄の完了した円筒状浄水フィルタをシャフトから取り除く作業を行えばよい。そのため、多数の使用済みの円筒状浄水フィルタを同時に、半自動的に効率よく洗浄することができる。また、シャフトに挿通された円筒状浄水フィルタは、噴射ノズルから噴射される洗浄水によってシャフトの周囲を自転するため、外周面の全域に洗浄水が満遍なく当たることとなり、円筒状浄水フィルタ全体が洗浄される。
【００１７】
洗浄時において回転盤が所定の速度で回転しているため、作業員は円筒状浄水フィルタのシャフトへの挿脱のために場所を移動する必要がなく、洗浄槽に臨んだ非噴射領域における所定位置で洗浄作業を行うことができるとともに、洗浄状況を目視で確認できるため、洗浄が不十分であったり、部分的に洗浄されない部分が残ることがない。さらに、本発明にかかる洗浄装置は、架台上に一体として装備しているため、運搬装置に搭載可能であり、洗浄すべきプール等の施設のある場所まで移動し、現位置でプール等の水を使用して使用済みの円筒状浄水フィルタを洗浄することが可能であり、優れた使い勝手を実現することができる。
【図面の簡単な説明】
【００１８】
【図１】本発明にかかる円筒状浄水フィルタの洗浄装置の全体斜視図。
【図２】本発明にかかる円筒状浄水フィルタの洗浄装置の全体正面図。
【図３】本発明にかかる円筒状浄水フィルタの洗浄装置の全体平面図。
【図４】洗浄槽の構成を示す要部断面説明図。
【図５】噴射ノズルの構成を示す要部斜視図。
【図６】噴射ノズルの構成を示す要部断面図。
【図７】回転盤の平面図。
【図８】円筒状浄水フィルタの立設状況を示す回転盤の斜視図。
【図９】シャフトの側面図。
【図１０】円筒状浄水フィルタの部分断面正面図。
【図１１】円筒状浄水フィルタの平面図。
【発明を実施するための形態】
【００１９】
以下図面に基づいて本発明にかかる円筒状浄水フィルタの洗浄装置の実施形態を説明する。本発明が洗浄する円筒状浄水フィルタ７０は従来より、プール，クアハウスや温浴施設等の水を浄化するフィルタとして公知の製品である。円筒状浄水フィルタ７０の構成は、前記した図１０，図１１に示すとおりであり、合成樹脂等の中空筒状の保形性を有する芯材７１（コア）の外周面に、特殊紡糸法を用いたポリプロピレン糸を規則正しく正確なダイヤモンド形状に保ちながら渦巻状に表面に至るまで巻回した密度勾配を有する濾材７２から構成されている。そして、芯材７１は上下方向に貫通した中空部７１ａを有するとともに、濾材７２からの水の通過を可能とする通水孔７１ｂが所定箇所に切欠形成されている。
【００２０】
図１は本発明にかかる円筒状浄水フィルタの洗浄装置１の全体斜視図、図２は全体正面図、図３は全体平面図であり、この円筒状浄水フィルタの洗浄装置１を使用して使用済みの円筒状浄水フィルタ７０を洗浄して再使用可能とする。図において、１０は洗浄槽であり、上面が開口した中空有底の円筒状の形状を有しており、円周状の胴部１０ａが平板状の架台５０に立設した支柱５１に固着されている。そのため、洗浄槽１０の底面１０ｂと架台５０との間に一定の間隔Ｇが形成されている（図２参照）。
【００２１】
２０は回転盤であり、図４に示すように、洗浄槽１０の底面１０ｂを貫通した回転軸２１の先端に固着され、洗浄槽１０の底部に、底面１０ｂから一定の間隙Ｄ１だけ離間して回転自在に設置されている。回転盤２０は、洗浄槽１０の底面１０ｂより径小の円盤形状を有しており、回転盤２０と洗浄槽１０の胴部１０ａの内壁との間には一定の間隙Ｄ２が形成されている。回転軸２１の基端は架台５０に軸支されており、基端部近傍に装備した歯車２２（図８参照）が、架台５０上に設置したモータ２３にベルト２４で連結した減速機２５とチェーン２６によって連結されている。よって、モータ２３を駆動することによって、ベルト２４，減速機２５，チェーン２６を介して右又は左方向に所定の速度で回転軸２１が回転することによって、回転盤２０を回転させることができる。
【００２２】
回転盤２０の上面には、複数のシャフト３０を同心円状に立設している。立設手段は特に限定はなく、実施形態では、シャフト３０の下端部に形成した螺子部３０ａによって、回転盤２０に螺合して固着している。シャフト３０は、図９に示すように、円筒状浄水フィルタ７０の芯材７１の内径より径小の棒状体であり、芯材７１の中空部７１ａを挿通して遊嵌状態に立設することができる。シャフト３０に立設された円筒状浄水フィルタ７０は、洗浄槽１０の胴部１０ａによって囲繞されることとなる。なお、シャフト３０の数，配置は回転盤２０に応じて適宜選択すればよく限定はない。
【００２３】
洗浄槽１０には、図５に示すように胴部１０ａを貫通して、円弧状に複数の噴射ノズル４０を設置している。実施形態では、平面視において左側（図３参照）に一定間隔で４ケ所、それぞれ上下２段に噴射ノズル４０を配置している。実施形態では、噴射ノズル４０は、洗浄槽１０の中心方向に向けて設置しているが、シャフト３０に向けて噴射可能な方向であればよく、特に限定はない。また、各噴射ノズル４０毎に噴射方向及び角度を上下左右方向に変化させてもよい。よって、円弧状に配置した噴射ノズル４０によって、洗浄槽１０の胴部１０ａには、噴射ノズル４０を配置した噴射領域Ａと、噴射ノズル４０を配置しない非噴射領域Ｂが形成されている（図３参照）。
【００２４】
架台５０には、洗浄槽１０に隣接して、モータ６０，ポンプ６１，送水管６２，給水管６３，分岐管６４からなる洗浄水Ｗの供給手段が設置されており、噴射ノズル４０に洗浄水Ｗを供給する。モータ６０によってポンプ６１を駆動させ、所定の水源、例えばプールから水をくみ上げ、ポンプ６１に連結した送水管６２を介して、洗浄槽１０の胴部１０ａに円弧状に配置した給水管６３に所定の圧力で供給する。円弧状の給水管６３には、それぞれの噴射ノズル４０に連結した分岐管６４が垂設されており、給水管６３に供給された洗浄水Ｗは、分岐管６４を介して噴射ノズル４０から、洗浄槽１０の中心方向に向けて噴射する。
【００２５】
噴射ノズル４０から噴射され、円筒状浄水フィルタ７０の洗浄に使用した洗浄水Ｗは、
洗浄槽１０の胴部１０ａと回転盤２０との間に形成された間隙Ｄ２から、洗浄槽１０の底面１０ｂに流出し、底面１０ｂの所定位置に開口形成した排水口１１から排水口１１に連結した適宜の排水管６５を介して外部に排出され、所定の手段によって排水処理を行う。６６は制御盤であって、回転盤２０の回転・停止動作や洗浄水Ｗの噴射・停止動作等の円筒状浄水フィルタの洗浄装置１の全ての動作を一括して制御する。上記構成の円筒状浄水フィルタの洗浄装置１は架台５０に全ての構成部材が組み込まれており、架台５０を介してトラックの荷台等の所定の運搬装置に搭載することができ、任意の場所に移動可能である。
【００２６】
次に、上記構成の円筒状浄水フィルタの洗浄装置１を使用して、使用済みの円筒状浄水フィルタ７０を洗浄する方法を説明する。先ず、円筒状浄水フィルタの洗浄装置１をトラックの荷台等の所定の運搬装置に搭載し、プール，クアハウスや温浴施設等その他の一定期間使用することによって洗浄を必要とする円筒状浄水フィルタ７０を使用している施設に搬送するとともに、ポンプ６１にプール等の水源から洗浄水Ｗを取水可能に連結する。次に、洗浄作業者は、トラックの荷台等の運搬装置に搭載した円筒状浄水フィルタの洗浄装置１の噴射ノズル４０を配置しない非噴射領域Ｂ側に位置して、浄水装置から取り出した洗浄する使用済みの円筒状浄水フィルタ７０の芯材７１の中空部７１ａを複数のシャフト３０にそれぞれ挿通して、シャフト３０に使用済みの円筒状浄水フィルタ７０を立設する。
【００２７】
そして、モータ２３を駆動することによって、ベルト２４，減速機２５，チェーン２６を介して、回転盤２０を右又は左方向に所定の速度で回転させる。同時にモータ６０によって、洗浄水Ｗの圧送手段であるポンプ６１を駆動させ、プール等の水源から洗浄水Ｗを吸い上げて、送水管６２を介して、洗浄槽１０の胴部１０ａに円弧状に配置した給水管６３に供給することによって、給水管６３から分岐管６４に連結した複数の噴射ノズル４０から所定の圧力で、洗浄槽１０の中心方向に向けて噴射する。即ち、噴射ノズル４０を配置した噴射領域Ａから、洗浄水Ｗを所定の圧力で、洗浄槽１０の中心、その他の予め設定した方向に向けて噴射する。
【００２８】
噴射された洗浄水Ｗは、シャフト３０に立設した使用済みの円筒状浄水フィルタ７０に衝突し、濾材７２に吸着・濾過された不純物を洗い落として使用済みの円筒状浄水フィルタ７０を洗浄する。このとき、使用済みの円筒状浄水フィルタ７０は、芯材７１の中空部７１ａを介してシャフト３０に遊嵌しているため、衝突する洗浄水Ｗによって、現位置においてシャフト３０の周囲を自転するため、濾材７２の全面を洗浄することができる。また、洗浄水Ｗは芯材７１の通水孔７１ｂを介して、中空部７１ａにも侵入するため、微細な不純物が吸着している濾材７２の深層の領域も洗浄除去することができる。
【００２９】
この洗浄作業時に回転盤２０は右又は左方向に一定速度で回転しているため、噴射領域Ａにおける洗浄水Ｗの噴射によって洗浄されている円筒状浄水フィルタ７０は、徐々に噴射ノズル４０が設置されておらず、洗浄作業者が位置している非噴射領域Ｂに移動してくる。洗浄作業者は移動してきた円筒状浄水フィルタ７０の状況を目視によって確認し、濾材７２から不純物が除去され、洗浄が終了していることが確認できれば、洗浄の終了した円筒状浄水フィルタ７０をシャフト３０から抜き取るとともに、新たな使用済みの円筒状浄水フィルタ７０をシャフト３０に挿通して立設し、噴射領域Ａに供給することによって、洗浄水Ｗを衝突させて洗浄を行う。一方、噴射領域Ａから非噴射領域Ｂに移動してきた円筒状浄水フィルタ７０の洗浄が不十分であれば、再び噴射領域Ａに供給する。以後、この作業を繰り返して、使用済みの円筒状浄水フィルタ７０の全てを洗浄する。
【００３０】
洗浄作業において、洗浄作業者は円筒状浄水フィルタの洗浄装置１の非噴射領域Ｂに位置して、これから洗浄する使用済みの円筒状浄水フィルタ７０をシャフト３０に挿通し、或いは洗浄の終了した円筒状浄水フィルタ７０をシャフト３０から取り出す作業を行えば、半自動的に洗浄作業を行うことができるため、洗浄作業者の負担が少なく、効率よく洗浄作業を行うことができる。また、噴射ノズル４０から噴射する洗浄水Ｗの圧力はポンプ６１の圧力を調節することによって任意に変更することができるため、使用済みの円筒状浄水フィルタ７０の汚れの度合いに応じて適宜調節することができる。
【産業上の利用可能性】
【００３１】
本発明にかかる円筒状浄水フィルタの洗浄装置によれば、洗浄する必要がある使用済みの円筒状浄水フィルタを、洗浄装置における中空有底の円筒状の洗浄槽の底部に回転自在に設置した回転盤に複数立設したシャフトに挿通することによって立設した後、回転盤を回転駆動しながら、洗浄槽の胴部に設置した噴射ノズルから洗浄水を所定の圧力で円筒状浄水フィルタに向けて噴射することにより、円筒状浄水フィルタの濾材に吸着・濾過した不純物を洗い落として除去することができ、再使用可能に洗浄することができる。
【００３２】
このとき、円筒状浄水フィルタはシャフトに立設しているため、洗浄作業員は手持ちする必要がなく、洗浄水も噴射ノズルから噴射するため、洗浄作業員は非噴射領域に位置して、洗浄する円筒状浄水フィルタをシャフトに挿通するとともに、洗浄の完了した円筒状浄水フィルタをシャフトから取り除く作業を行えばよい。そのため、多数の使用済みの円筒状浄水フィルタを同時に、半自動的に効率よく洗浄することができる。また、シャフトに挿通された円筒状浄水フィルタは、噴射される洗浄水によってシャフトの周囲を自転するため、外周面の全域に洗浄水が満遍なく当たることとなり、円筒状浄水フィルタ全体が洗浄される。
【００３３】
洗浄時において回転盤が所定の速度で回転しているため、作業員は円筒状浄水フィルタのシャフトへの挿脱のために場所を移動する必要がなく、洗浄槽に臨んだ非噴射領域における所定位置で洗浄作業を行うことができるとともに、洗浄状況を目視で確認できるため、洗浄が不十分であったり、部分的に洗浄されない部分が残ることがない。さらに、本発明にかかる洗浄装置は、架台上に一体として装備しているため、運搬装置に搭載可能であり、洗浄すべきプール等の施設のある場所まで移動し、現位置でプール等の水を使用して使用済みの円筒状浄水フィルタを洗浄することが可能であり、優れた使い勝手を実現することができる。
【符号の説明】
【００３４】
Ａ…噴射領域
Ｂ…非噴射領域
Ｄ１，Ｄ２…間隙
Ｇ…間隔
Ｗ…洗浄水
１…円筒状浄水フィルタの洗浄装置
１０…洗浄槽
１０ａ…胴部
１０ｂ…底面
２０…回転盤
２１…回転軸
２２…歯車
２３…モータ
２４…ベルト
２５…減速機
２６…チェーン
３０…シャフト
３０ａ…螺子部
４０…噴射ノズル
５０…架台
５１…支柱
６０…モータ
６１…ポンプ
６２…送水管
６３…給水管
６４…分岐管
６５…排水管
６６…制御盤
７０…円筒状浄水フィルタ
７１…芯材
７１ａ…中空部
７１ｂ…通水孔
７２…濾材
【図１】
2018153747.tif 000003
【図２】
2018153747.tif 000004
【図３】
2018153747.tif 000005
【図４】
2018153747.tif 000006
【図５】
2018153747.tif 000007
【図６】
2018153747.tif 000008
【図７】
2018153747.tif 000009
【図８】
2018153747.tif 000010
【図９】
2018153747.tif 000011
【図１０】
2018153747.tif 000012
【図１１】
2018153747.tif 000013